(57)【要約】      （修正有）【課題】液体収容部を内部に備える記録ユニットの上部を回動するスキャナーユニットが開閉する構成の記録装置においては、スキャナーユニットを開いて行う液体収容部へのインクの補充中に、意図せずスキャナーユニットが自重で閉じてしまうことのないスキャナーユニットを提供する。【解決手段】プリンター１は、媒体に記録を行う記録手段８を備えた記録ユニット２と、原稿を載置する原稿台及び原稿台に載置された原稿を読み取る読み取り手段を備えるとともに記録ユニットの上部に設けられるスキャナーユニット４と、を備え、スキャナーユニットは、記録ユニットの使用位置である第１位置と、第１位置から水平方向にずれた位置であって記録ユニットのメンテナンス位置である第２位置と、の間で変位する。【選択図】図８
2020172054.tif 000002
【特許請求の範囲】
【請求項１】
媒体に記録を行う記録手段を備えた記録ユニットと、
原稿を載置する原稿台及び前記原稿台に載置された原稿を読み取る読み取り手段を備えるとともに前記記録ユニットの上部に設けられるスキャナーユニットと、を備え、
前記スキャナーユニットは、前記記録ユニットの使用位置である第１位置と、前記第１位置から水平方向にずれた位置であって前記記録ユニットのメンテナンス位置である第２位置と、の間で変位する、
ことを特徴とする記録装置。
【請求項２】
請求項１に記載の記録装置において、水平方向に延設されるガイドレールを備え、前記スキャナーユニットを前記ガイドレールに沿って変位させる構成である、
ことを特徴とする記録装置。
【請求項３】
請求項１に記載の記録装置において、２つの端部を有するアーム部を備え、前記２つの端部の一方である第１端部が前記記録ユニットに対して回動可能に設けられ、前記２つの端部の他方である第２端部が前記スキャナーユニットに対して回動可能に設けられ、
前記アーム部の回動により、前記スキャナーユニットを水平方向に移動させつつ上方に変位させる構成である、
ことを特徴とする記録装置。
【請求項４】
請求項１から請求項３のいずれか一項に記載の記録装置において、
前記スキャナーユニットを前記第１位置と前記第２位置との間で変位可能にする変位可能状態と、前記スキャナーユニットを少なくとも前記第２位置で保持する保持状態と、を切り換え可能な位置保持手段を備える、
ことを特徴とする記録装置。
【請求項５】
請求項４に記載の記録装置において、
前記位置保持手段は、前記保持状態から前記変位可能状態への切り換えの際に抵抗を付与する抵抗手段を備える、
ことを特徴とする記録装置。
【請求項６】
請求項１から請求項５のいずれか一項に記載の記録装置において、前記記録手段は、媒体に液体を吐出することで記録を行い、
前記記録ユニットは、前記記録手段に供給される前記液体を収容するとともに前記液体を注入可能な注入口を備える液体収容部を備え、
前記スキャナーユニットは、前記第２位置において、前記注入口に装着された液体補充容器と干渉しない構成である、
ことを特徴とする記録装置。
【請求項７】
請求項６に記載の記録装置において、
前記スキャナーユニットの前記第１位置から前記第２位置への変位を検出可能な検出部と、
操作入力を受け付ける操作部と、
前記操作部に対する操作入力結果及び前記検出部による検出結果に基づいて、前記記録装置の動作を制御する制御部と、を備え、
前記制御部は、前記検出部の検出情報に基づいて前記スキャナーユニットが前記第１位置から前記第２位置に向けて変位したと判断した場合に、前記操作部を、前記スキャナーユニットに対する操作入力を受け付けない入力禁止状態とする、
ことを特徴とする記録装置。
【請求項８】
請求項７に記載の記録装置において、
前記操作部は、情報を表示する表示部を備え、
前記制御部は、前記検出部の検出情報に基づいて前記スキャナーユニットが前記第１位置から前記第２位置に変位したと判断した場合であって、少なくとも前記液体収容部の液体の残量が前記液体収容部に液体を補充すべきレベルの場合に、前記表示部において、前記液体収容部への前記液体の補充を促すメッセージを表示する、
ことを特徴とする記録装置。
【請求項９】
請求項６から請求項８のいずれか一項に記載の記録装置において、
前記記録手段は、前記液体を吐出する記録ヘッドを支持するとともに前記液体収容部を搭載可能なキャリッジを備える、
ことを特徴とする記録装置。
【請求項１０】
請求項９に記載の記録装置において、前記第２位置は、前記第１位置に対して装置後方に位置し、
前記キャリッジは、装置奥行き方向と交差する方向である幅方向に移動し、
前記幅方向に延設され、前記キャリッジの位置検出に用いるリニアスケールを備え、
前記スキャナーユニットは、前記第２位置において、前記リニアスケールの上部を覆う、
ことを特徴とする記録装置。
【発明の詳細な説明】
【技術分野】
【０００１】
本発明は、媒体に液体を吐出して記録を行う記録装置に関する。
【背景技術】
【０００２】
記録装置の一例としてのプリンターには、媒体に液体としてのインクを吐出して記録を行う記録手段と、記録手段に供給するインクを収容する液体収容部とを備え、記録手段が設けられる記録ユニットの内部に液体収容部が配置されるとともに、記録によって消費されるインクを補充できるように構成されるものがある。特許文献１には、このような構成のプリンターが開示されている。
【０００３】
特許文献１に記載のプリンターは、記録ユニットの上部にスキャナーユニットを備え、媒体への記録機能と原稿を読み取る読取機能との双方を備える複合機として構成されている。そして、スキャナーユニットは、記録ユニットに対して回動することで装置本体の上部を開閉可能に構成されており、スキャナーユニットを開いて記録ユニットの内部を開放した状態で、液体収容部にインクの補充を行えるように構成されている。
【先行技術文献】
【特許文献】
【０００４】
【特許文献１】特開２００８−２９６５０８号公報
【発明の概要】
【発明が解決しようとする課題】
【０００５】
スキャナーユニットは、例えば開いた状態を維持する姿勢維持手段を設けることで、液体収容部にインクを補充する際にスキャナーユニットの開き姿勢を維持させることができる。しかし、液体収容部へのインクの補充中に、意図せず姿勢維持手段による姿勢維持状態が解除され、スキャナーユニットが自重で閉じてしまう虞があった。
【課題を解決するための手段】
【０００６】
上記課題を解決する本発明の記録装置は、媒体に記録を行う記録手段を備えた記録ユニットと、原稿を載置する原稿台及び前記原稿台に載置された原稿を読み取る読み取り手段を備えるとともに前記記録ユニットの上部に設けられるスキャナーユニットと、を備え、前記スキャナーユニットは、前記記録ユニットの使用位置である第１位置と、前記第１位置から水平方向にずれた位置であって前記記録ユニットのメンテナンス位置である第２位置と、の間で変位する、ことを特徴とする。
【図面の簡単な説明】
【０００７】
【図１】第１実施形態に係るプリンターを表す斜視図。
【図２】第１実施形態に係るプリンターにおいてスキャナーユニットの原稿台カバーを開いた状態を表す斜視図。
【図３】第１実施形態に係るプリンターの側断面図。
【図４】第１実施形態に係るプリンターにおいて、スキャナーユニットを第２位置に変位させた状態を示す斜視図。
【図５】図４の概略側面図。
【図６】第１実施形態に係るプリンターの正面の概略断面図。
【図７】スキャナーユニットの位置保持手段について説明する図。
【図８】第１実施形態に係るプリンターの変更例について説明する図。
【図９】第２実施形態に係るプリンターにおいて、スキャナーユニットを第２位置に変位させた状態を示す斜視図。
【図１０】第２実施形態に係るスキャナーユニットの変位機構について説明する図。
【発明を実施するための形態】
【０００８】
以下、本発明について概略的に説明する。  
第１の態様に係る記録装置は、媒体に記録を行う記録手段を備えた記録ユニットと、原稿を載置する原稿台及び前記原稿台に載置された原稿を読み取る読み取り手段を備えるとともに前記記録ユニットの上部に設けられるスキャナーユニットと、を備え、前記スキャナーユニットは、前記記録ユニットの使用位置である第１位置と、前記第１位置から水平方向にずれた位置であって前記記録ユニットのメンテナンス位置である第２位置と、の間で変位する、ことを特徴とする。
【０００９】
本態様によれば、前記スキャナーユニットは、前記記録ユニットの使用位置である第１位置と、前記第１位置から水平方向にずれた位置であって前記記録ユニットのメンテナンス位置である第２位置と、の間で変位するので、回動することにより記録ユニットの上部を開閉する構成のスキャナーユニットのように、自重で閉じる虞を低減できる。
【００１０】
第２の態様は、第１の態様において、水平方向に延設されるガイドレールを備え、前記スキャナーユニットを前記ガイドレールに沿って変位させる構成である、ことを特徴とする。
【００１１】
本態様によれば、水平方向に延設されるガイドレールを備え、前記スキャナーユニットを前記ガイドレールに沿って変位させる構成によって、構成簡単にして第１の態様と同様の作用効果が得られる。
【００１２】
第３の態様は、第１の態様において、２つの端部を有するアーム部を備え、前記２つの端部の一方である第１端部が前記記録ユニットに対して回動可能に設けられ、前記２つの端部の他方である第２端部が前記スキャナーユニットに対して回動可能に設けられ、前記アーム部の回動により、前記スキャナーユニットを水平方向に移動させつつ上方に変位させる構成である、ことを特徴とする。
【００１３】
本態様によれば、第１端部が前記記録ユニットに対して回動可能に設けられ、前記第１端部に対して反対の第２端部が前記スキャナーユニットに対して回動可能に設けられるアーム部を備え、前記アーム部の回動により、前記スキャナーユニットを奥行方向または幅方向に移動させつつ上方に変位させる構成の前記変位機構によって、第１の態様と同様の作用効果が得られる。
【００１４】
第４の態様は、第１の態様から第３の態様のいずれかにおいて、前記スキャナーユニットを前記第１位置と前記第２位置との間で変位可能にする変位可能状態と、前記スキャナーユニットを少なくとも前記第２位置で保持する保持状態と、を切り換え可能な位置保持手段を備える、ことを特徴とする。
【００１５】
本態様によれば、前記位置保持手段を備えるので、前記スキャナーユニットが意図しない外力により前記２位置から前記第１位置に変位することを回避できる。
【００１６】
第５の態様は、第４の態様において、前記位置保持手段は、前記保持状態から前記変位可能状態への切り換えの際に抵抗を付与する抵抗手段を備える、ことを特徴とする。
【００１７】
本態様によれば、前記抵抗手段による抵抗に抗して前記保持状態から前記変位可能状態に切り換えを行う構成とすることができ、前記保持状態が容易に解除されないようにすることができる。
【００１８】
第６の態様は、第１の態様から第５の態様のいずれかにおいて、前記記録手段は、媒体に液体を吐出することで記録を行い、前記記録ユニットは、前記記録手段に供給される前記液体を収容するとともに前記液体を注入可能な注入口を備える液体収容部を備え、前記スキャナーユニットは、前記第２位置において、前記注入口に装着された液体補充容器と干渉しない構成である、ことを特徴とする。
【００１９】
本態様によれば、前記スキャナーユニットを前記第２位置に移動させることで、前記注入口に補充容器を装着して前記液体収容部に前記液体を補充することができる。
【００２０】
第７の態様は、第６の態様において、前記スキャナーユニットの前記第１位置から前記第２位置への変位を検出可能な検出部と、操作入力を受け付ける操作部と、前記操作部に対する操作入力結果及び前記検出部による検出結果に基づいて、前記記録装置の動作を制御する制御部と、を備え、前記制御部は、前記検出部の検出情報に基づいて前記スキャナーユニットが前記第１位置から前記第２位置に向けて変位したと判断した場合に、前記操作部を、前記スキャナーユニットに対する操作入力を受け付けない入力禁止状態とする、ことを特徴とする。
【００２１】
本態様によれば、前記スキャナーユニットが前記第１位置以外に位置する場合に、前記操作部を入力禁止状態とすることができる。
【００２２】
第８の態様は、第７の態様において、前記操作部は、情報を表示する表示部を備え、
前記制御部は、前記検出部の検出情報に基づいて前記スキャナーユニットが前記第１位置から前記第２位置に変位したと判断した場合であって、少なくとも前記液体収容部の液体の残量が前記液体収容部に液体を補充すべきレベルの場合に、前記表示部において、前記液体収容部への前記液体の補充を促すメッセージを表示する、ことを特徴とする。
【００２３】
本態様によれば、ユーザーが前記スキャナーユニットを前記第２位置に変位させた場合に、前記液体収容部の液体の残量に応じて前記液体収容部への前記液体の補充を促すことができる。
【００２４】
第９の態様は、第６の態様から第８の態様のいずれかにおいて、前記記録手段は、前記液体を吐出する記録ヘッドを支持するとともに前記液体収容部を搭載可能なキャリッジを備える、ことを特徴とする。
【００２５】
本態様によれば、前記記録手段が、前記液体を吐出する記録ヘッドを支持するとともに前記液体収容部を搭載可能なキャリッジを備える構成の前記記録装置において、第６の態様から第８の態様のいずれかと同様の作用効果が得られる。
【００２６】
第１０の態様は、第９の態様において、前記第２位置は、前記第１位置に対して装置後方に位置し、前記キャリッジは、装置奥行き方向と交差する方向である幅方向に移動し、前記幅方向に延設され、前記キャリッジの位置検出に用いるリニアスケールを備え、前記スキャナーユニットは、前記第２位置において、前記リニアスケールの上部を覆う、ことを特徴とする。
【００２７】
本態様によれば、前記液体収容部への液体補充作業時に前記液体が飛散し、前記リニアスケールに前記液体が付着する虞を低減できる。
【００２８】
［第１実施形態］
以下、図を参照して、本発明の一実施形態に係る記録装置の概略について説明する。本実施形態において、記録装置の一例としてインクジェットプリンター１を挙げる。インクジェットプリンター１は、以下、単にプリンター１と称するものとする。  
尚、各図において示すＸ−Ｙ−Ｚ座標系はＸ軸方向が装置幅方向、Ｙ軸方向が装置奥行き方向、Ｚ軸方向が装置高さ方向を示している。また、＋Ｙ方向を装置前方とし、−Ｙ方向を装置後方とする。また、装置前方から見て左を＋Ｘ方向、右を−Ｘ方向とする。また、＋Ｚ方向を上方とし、−Ｚ方向側を下方とする。  
また、プリンター１において媒体が搬送されていく搬送方向を「下流」といい、これと反対の方向を「上流」という。
【００２９】
＜プリンターの概要＞
図１に示されるプリンター１は、媒体に記録を行う記録手段８を備える記録ユニット２と、記録ユニット２の上部に設けられ、原稿の画像を読み取るスキャナーユニット４を備えている。即ちプリンター１は、記録機能に加えて画像読取機能を備える複合機として構成されている。  
プリンター１において、記録が行われる媒体としては、例えば、普通紙の他、普通紙よりも厚いハガキや名刺等の厚紙、普通紙よりも薄い薄紙、写真用の光沢紙等の用紙が挙げられる。また、プリンター１は、ディスク型記憶媒体のラベル面への記録も可能に構成されている。
【００３０】
プリンター１において、記録手段８は、インクを吐出する記録ヘッド１０と、記録ヘッド１０を支持するキャリッジ２０とを備え、記録ヘッド１０から媒体Ｐに向けてインクを吐出することで記録を行うように構成されている。つまり、記録手段８は、媒体Ｐにインク（液体）を吐出することで記録を行う。
【００３１】
図１において、プリンター１の装置前方である＋Ｙ方向には、操作入力を受け付ける操作部としての操作パネル６が設けられている。操作パネル６は、記録や画像読み取りのための各種設定操作や実行操作を行うことができる他、操作内容やスキャナーユニット４における読み取り画像のプレビューなどを情報として表示する表示部を兼ねている。
【００３２】
スキャナーユニット４は、記録ユニット２の上部を開閉可能に構成されている。図１には、スキャナーユニット４が記録ユニット２に対して閉じた閉状態が表されており、図４にはスキャナーユニット４が移動して記録ユニット２の上部が一部開放された状態を示している。図１に示されるスキャナーユニット４の位置は、記録ユニット２において記録を行う際の位置、すなわち、記録ユニット２の使用位置である。図１に示されるスキャナーユニット４の位置を、以下においてスキャナーユニット４の第１位置と言う。また、図４に示されるスキャナーユニット４の位置は、上部が一部開放されて記録ユニット２の内部が露呈する記録ユニット２のメンテナンス位置である。図４に示されるスキャナーユニット４の位置を、以下においてスキャナーユニット４の第２位置と言う。  
スキャナーユニット４を第１位置と第２位置との間で移動させる構成については後で詳しく説明する。
【００３３】
図１において、記録ユニット２の前方の下部には、下部カバー７が設けられている。  
下部カバー７を図３において点線で示すように開くことにより、記録前の媒体Ｐを収容する媒体トレイ１１と、記録後に排出される媒体Ｐを受ける排出トレイ１２が露呈するように構成されている。
【００３４】
排出トレイ１２は、図３において実線で示されるように記録ユニット２に収納された収納状態と、図３において点線で示されるように記録ユニット２の前方側に突出した突出状態と、を切換可能に構成されており、突出状態で記録後の媒体Ｐを受けることができる。排出トレイ１２は、不図示のモーターによって収納状態と突出状態とを切り換え可能に構成することができる。
【００３５】
媒体トレイ１１には複数枚の媒体Ｐを収容可能であり、媒体トレイ１１は記録ユニット２に対して着脱可能となっている。媒体トレイ１１は、図３に示されるように記録ユニット２に装着された状態で、媒体Ｐを後述する媒体搬送経路Ｔに送り出すことができるようになっている。また、図示を省略するが、媒体トレイ１１を前方（＋Ｙ方向）に引き出した状態で、媒体トレイ１１に媒体Ｐを補充することができる。
【００３６】
＜プリンターにおける媒体搬送経路について＞
続いて、図３を参照しつつプリンター１における媒体搬送経路Ｔについて説明する。  
媒体搬送経路Ｔは、プリンター１の装置下部に設けられる媒体トレイ１１から記録手段８による記録領域に向けて搬送される媒体Ｐの搬送経路である。  
媒体トレイ１１にセットされた媒体Ｐは、給送ローラー１６によってピックアップされて媒体搬送経路Ｔに送り出される。より具体的には、不図示のモーターによって回転駆動される給送ローラー１６は、揺動軸１９ａを中心に揺動するローラー支持部材１９に設けられており、媒体トレイ１１に収容された複数の媒体Ｐの最上位のものと接して回転することにより、その最上位の媒体Ｐを媒体トレイ１１から装置後方（−Ｙ方向）に送り出す。
【００３７】
給送ローラー１６の下流には、不図示のモーターによって回転駆動される中間ローラー１７が設けられており、この中間ローラー１７によって媒体Ｐは湾曲反転させられ、装置前方（＋Ｙ方向）へと送られる。尚、符号１８ａ、１８ｂ、１８ｃ、１８ｄは中間ローラー１７に従動回転可能な従動ローラーであり、媒体は、従動ローラー１８ａと中間ローラー１７とによってニップされ、続いて従動ローラー１８ｂと中間ローラー１７とによってニップされ、更に従動ローラー１８ｃと中間ローラー１７とによってニップされて、下流へと送られる。従動ローラー１８ｄについては後で説明する。
【００３８】
中間ローラー１７の下流には、搬送ローラー対２１が設けられており、搬送ローラー対２１によって媒体が記録ヘッド１０の下方へと送られる。搬送ローラー対２１は、図３において、下側のローラーが不図示のモーターにより回転駆動され、上側のローラーが下側のローラーに従動回転する。
【００３９】
搬送ローラー対２１の下流には、記録手段８が設けられている。記録手段８において、インクを吐出する記録ヘッド１０は、キャリッジ２０の底部に設けられている。キャリッジ２０には、記録ヘッド１０に供給されるインクを収容する液体収容部２４が搭載可能である。つまり、液体収容部２４は、記録ユニット２の内部に設けられている。  
キャリッジ２０は図示を省略するモーターによって、装置奥行き方向（Ｙ軸方向）と交差する方向である幅方向（Ｘ軸方向）に往復移動可能に構成されている。図３において、キャリッジ２０の後方である−Ｙ方向には、キャリッジ２０の位置検出に用いるリニアスケール１４が設けられている。リニアスケール１４は、図４に示されるように、キャリッジ２０の移動方向である幅方向に延設されている。  
記録ヘッド１０と対向する位置には、媒体搬送経路Ｔを搬送される媒体を支持する媒体支持部材２３が設けられ、媒体支持部材２３によって、媒体と記録ヘッド１０との間隔が規定される。媒体と記録ヘッド１０との間隔は、ギャップとも言う。
【００４０】
媒体支持部材２３の下流には排出ローラー対２２が設けられている。排出ローラー対２２も、搬送ローラー対２１と同様に、下側のローラーが不図示の駆動源により回転駆動され、上側のローラーが下側のローラーに従動回転するように構成されている。記録手段８による記録後の媒体Ｐは、排出ローラー対２２により、図３において点線で示されるように突出状態にされた排出トレイ１２に向けて排出される。
【００４１】
尚、プリンター１は、媒体Ｐの第１面と、その反対面の第２面に記録を行う両面記録を実行可能に構成されている。両面記録を行う場合には、第１面への記録後、媒体Ｐをスイッチバックさせて−Ｙ方向に送る。スイッチバックされた媒体Ｐは、従動ローラー１８ｄと中間ローラー１７とによってニップされて、媒体搬送経路Ｔに合流させることができる。媒体Ｐは中間ローラー１７によって反転され、第２面が記録ヘッド１０と対向した状態で記録ヘッド１０の下方に搬送され、第２面への記録が行われる。
【００４２】
また、プリンター１は、記録が行われる媒体Ｐを装置後方の上部に設けられる上部供給口９からも供給可能に構成されている。上部供給口９は、給送口カバー３を開くことで開放される。上部供給口９から供給された媒体Ｐは、搬送ローラー対２１の上流から媒体搬送経路Ｔに入り、記録ヘッド１０による記録が行われる。尚、プリンター１における各種動作は、スキャナーユニット４における動作も含め、制御部１３（図３を参照）によって制御される。制御部１３は、操作パネル６（図１を参照）に対する操作入力結果に基づいてプリンター１を制御する。
【００４３】
＜液体収容部について＞
プリンター１において、図４に示されるようにキャリッジ２０に搭載された液体収容部２４には、記録の実行により減ったインクを補充することができる。  
キャリッジ２０には、複数の色に対応する複数の液体収容部２４が搭載されている。それぞれの液体収容部２４の上部には、液体収容部２４にインクを注入するための注入口２５と、注入口２５を閉じるキャップ２６が設けられている。図４には、図を正面視して一番左の液体収容部２４のキャップ２６が開いて注入口２５が露呈した状態が示されている。キャップ２６は、装置後方（−Ｙ方向）を軸として回動することにより注入口２５を開閉する。一例として、補充用のインクが入った補充容器２７を注入口２５に挿入し、補充容器２７からインクを液体収容部２４に注入することができる。尚、図４において、キャリッジ２０はホームポジションに位置している。ホームポジションは、キャリッジ２０の移動領域の一方の端に設けられており、本実施形態においては−Ｘ方向の端に設定されている。
【００４４】
＜スキャナーユニットの概略について＞
スキャナーユニット４は、図３に示すように、原稿を載置する原稿台３２と、原稿台３２に載置された原稿を読み取る読み取り手段３１と、を備えている。読み取り手段３１は、ハウジング３０の内部に設けられている。スキャナーユニット４は、原稿台３２を開閉可能な原稿台カバー５を備えている。原稿台３２は、図２及び図３に示されるようにハウジング３０の上に配置され、枠部材３８によって四辺の外周が押さえられている。図２のように原稿台カバー５を開くと、原稿台３２が露呈する。原稿は、読み取り面を原稿台３２と対向させるようにして原稿台３２に載置される。  
図２に示される原稿台カバー５において、閉じた際に原稿台３２と対向する面には、原稿を押さえる押さえ板３３が設けられている。
【００４５】
スキャナーユニット４は、記録ユニット２の使用位置である第１位置（図１及び図３を参照）と、第１位置から水平方向にずれた位置であって記録ユニット２のメンテナンス位置である第２位置（図４及び図５を参照）と、の間で変位するように構成されている。  
言い換えると、スキャナーユニット４は、原稿台３２の姿勢を維持した状態で、第１位置と、第１位置に対して奥行方向（Ｙ軸方向）においてずれた位置にある第２位置と、の間で変位する。  
本実施形態において、スキャナーユニット４は、図１に示されるように第１位置において記録ユニット２の上部を覆い、図４に示されるように第２位置において注入口２５を露呈させる。スキャナーユニット４を第２位置に位置させて、記録ユニット２のメンテナンスの一例として、前述した液体収容部２４へのインクの補充を行うことができる。また、液体収容部２４へのインク補充だけでなく、記録中に記録ユニット２の内部で発生した媒体Ｐの詰まりの除去等のメンテナンスを行うことができる。
【００４６】
プリンター１は、スキャナーユニット４を第１位置と第２位置との間で変位させる変位機構４０として、図６に示されるガイドレール４１を備えて構成されている。ガイドレール４１は、記録ユニット２の内側において幅方向（Ｘ軸方向）の両側に設けられ、奥行方向（Ｙ軸方向）に沿って水平方向に延設されている。スキャナーユニット４のハウジング３０の底部には、ガイドレール４１にガイドされる被ガイド部４２が設けられており、スキャナーユニット４をガイドレール４１に沿ってＹ軸方向にスライドさせることで、原稿台３２の姿勢を維持した状態でスキャナーユニット４を変位させることができる。尚、本実施形態においては、スキャナーユニット４の後方に位置する給送口カバー３もスキャナーユニット４と一体に変位する。
【００４７】
スキャナーユニット４を、第１位置から水平移動により第２位置に移動させているので、例えば液体収容部２４へのインク補充のためにスキャナーユニット４を第２位置に位置させたまま手を離していても、スキャナーユニット４が自重だけで第２位置から第１位置に移動する虞は低い。以って、スキャナーユニット４を第２位置に位置させて行うメンテナンス中に、スキャナーユニット４が不用意に第２位置から第１位置に戻る虞を低減できる。  
また、水平方向に延設されるガイドレール４１を用いた変位機構４０により、簡単な構成によりスキャナーユニット４を水平移動させることができる。
【００４８】
スキャナーユニット４の第２位置は、記録ユニット２の上部を完全に開放する位置とすることもできるが、記録ユニット２の上部の一部を開放する構成とすると良い。本実施形態においてスキャナーユニット４の第２位置は、開いたキャップ２６にスキャナーユニット４が干渉しない位置に設定されている。このことにより、スキャナーユニット４の装置後方への飛び出しを最小限にして記録ユニット２の上部を開放し、液体収容部２４へのインク補充を行うことができる。
【００４９】
また、例えば、注入口２５を開閉するキャップ２６の回動軸が装置後方（−Ｙ方向）ではなく装置側方や装置前方に位置する場合や、キャップ２６を液体収容部２４から取り外すことで注入口２５を開放する構成の場合には、スキャナーユニット４の第２位置は、注入口２５に装着された補充容器２７と干渉しない位置とすることができる。すなわち、スキャナーユニット４の第２位置を、図５に示される位置よりも装置前方に近い位置とすることができる。したがって、スキャナーユニット４を第１位置から少し後方にずらすだけで、注入口２５に補充容器２７を挿して液体収容部２４へのインク補充を行うことができる。
【００５０】
また、本実施形態において、スキャナーユニット４は、図４及び図５に示す第２位置において、リニアスケール１４の上部を覆うように構成されている。第２位置に位置するスキャナーユニット４がリニアスケール１４の上部を覆うことにより、液体収容部２４へのインク補充作業時にインクが飛散し、リニアスケール１４にインクが付着する虞を低減できる。
【００５１】
また、本実施形態において、プリンター１は、スキャナーユニット４を第１位置（図１を参照）と第２位置（図４を参照）との間で変位可能にする変位可能状態と、スキャナーユニット４を少なくとも第２位置で保持する保持状態と、を切り換え可能な位置保持手段５０（図７を参照）を備えている。本実施形態において、位置保持手段５０は、スキャナーユニット４を第１位置と第２位置との双方で保持状態とすることができる構成である。
【００５２】
位置保持手段５０は、規制部５１と、ハウジング３０の底部に設けられる第１の凹部５２及び第２の凹部５３とを備えている。第１の凹部５２は、奥行方向（Ｙ軸方向）において、第２の凹部５３よりも後方に配置されている。規制部５１は、軸部５１ａを中心として揺動可能に構成されている。
【００５３】
図７の一番上の図は、スキャナーユニット４が第１位置にある状態を示している。このとき、規制部５１が第１の凹部５２に嵌合し、スキャナーユニット４の変位が規制されてスキャナーユニット４が第１位置に保持される。また、図７の一番下の図は、スキャナーユニット４が第２位置にある状態を示している。このとき、規制部５１が第２の凹部５３に嵌合し、スキャナーユニット４の変位が規制されてスキャナーユニット４が第２位置に保持される。スキャナーユニット４の位置が保持される状態を保持状態と言う。
【００５４】
一方、図７の中図のように、規制部５１が第１の凹部５２または第２の凹部５３から外れて第１の凹部５２と第２の凹部５３との間にある状態では、スキャナーユニット４が奥行方向に変位可能である。この状態を、変位可能状態と言う。  
このような位置保持手段５０を備えることで、スキャナーユニット４が意図しない外力により２位置から第１位置に変位することを回避できる。
【００５５】
また、位置保持手段５０は、保持状態から変位可能状態への切り換えの際に抵抗を付与する抵抗手段としての押圧部材５４を備えている。本実施形態においては、押圧部材５４の一例として捻りコイルバネが用いられている。押圧部材５４は、規制部５１を、第１の凹部５２または第２の凹部５３に対して押し付ける方向、すなわち、図７において上方に押圧している。したがって、スキャナーユニット４のハウジング３０が押圧部材５４の押圧力に抗して規制部５１を押し下げることで、図７の一番上の図に示す保持状態から中図に示す変位可能状態、または、図７の一番下の図に示す保持状態から中図に示す変位可能状態に移行する。押圧部材５４を備えることにより、第１位置或いは第２位置における保持状態が容易に解除されないようにすることができる。  
抵抗手段としては、本実施形態のようなバネを用いることができる他、例えば、規制部５１を弾性変形可能な材料で形成することにより、規制部５１に抵抗手段としての機能を持たせることもできる。
【００５６】
また、位置保持手段５０は、規制部５１と第１の凹部５２及び第２の凹部５３とを備える構成に限られず、例えば、位置保持手段５０が、スキャナーユニット４に設けられた穴に対して進退するロックピンと、このロックピンを進退させるソレノイドと、ソレノイドを制御する制御部を備える構成とすることができる。制御部は、例えばスキャナーユニット４が第２位置にある状態では、ロックピンをスキャナーユニット４の穴に嵌合させ、位置をロックして保持状態とする。また、例えば操作パネル６において、インク補充の完了操作が入力されたら、制御部がロックピンを穴から抜いてロック解除し、変位許容状態とすることができる。  
また、位置保持手段５０において、押圧部材５４を省略し、規制部５１を揺動させるモーターと、モーターを制御する制御部とによって、規制部５１を揺動させて、第１の凹部５２または第２の凹部５３に対する規制部５１の挿抜を切り換える構成とすることもできる。
【００５７】
＜プリンターにおける他の構成＞
プリンター１には、図７に示されるように、スキャナーユニット４の第１位置から前記第２位置への変位を検出可能な検出部５５を設けることができる。検出部５５としては、光センサーを用いた検出センサーや、レバー式センサー等の公知の位置検出センサーを用いることができる。  
本実施形態において、プリンター１の動作を制御する制御部１３は、検出部５５の検出情報に基づいてスキャナーユニット４が第１位置から第２位置に向けて変位したと判断した場合に、操作パネル６（図１を参照）を、スキャナーユニット４に対する操作入力を受け付けない入力禁止状態とするように構成されている。この構成により、スキャナーユニット４が第１位置以外に位置する場合に、操作パネル６を入力禁止状態とすることができる。以って、スキャナーユニット４が第１位置に位置する場合にのみ、スキャナーユニット４を操作可能とすることができる。
【００５８】
制御部１３は、検出部５５の検出情報に基づいてスキャナーユニット４が第１位置から第２位置に変位したと判断した場合であって、少なくとも液体収容部２４のインクの残量が液体収容部２４にインクを補充すべきレベルの場合に、操作パネル６において、液体収容部２４へのインクの補充を促すメッセージを表示するように構成されている。尚、液体収容部２４には不図示の液体残量検出手段が設けられており、液体残量検出手段による検出情報に基づいて、制御部１３が、液体収容部２４のインクの残量が液体収容部２４にインクを補充すべきレベルか否かを判断することができる。  
この構成により、ユーザーがスキャナーユニット４を第２位置に変位させた際に、液体収容部２４のインクの残量が少なければ操作パネル６にメッセージを表示し、ユーザーに液体収容部２４へのインクの補充を促すことができる。
【００５９】
また、上部供給口９（図３を参照）に媒体Ｐがセットされている場合に、制御部１３が、検出部５５の検出情報に基づいてスキャナーユニット４が第１位置から第２位置に向けて変位したと判断したら、上部供給口９に媒体Ｐがあることを操作パネル６への表示や音やランプの点灯、点滅等によりユーザーに報知する構成とすることもできる。  
上部供給口９に媒体Ｐがセットされているか否かは、上部供給口９に媒体Ｐの有無を検出する媒体検出部を設け、媒体検出部における検出情報に基づいて制御部１３が判断する構成とすることができる。また、例えば、給送口カバー３の開閉状態を検出するカバー検出部を設け、カバー検出部の検出情報に基づいて制御部１３が、給送口カバー３が開いていると判断した場合に、そのことをユーザーに知らせる構成とすることもできる。  
これらの構成により、上部供給口９に媒体Ｐがセットされたまま、スキャナーユニット４が第２位置に移動される虞を回避できる。
【００６０】
＜変更例＞
スキャナーユニット４は、図８に示されるように、記録ユニット２に対して幅方向（Ｘ軸方向）に水平移動させて、記録ユニット２の使用位置である第１位置と、記録ユニット２のメンテナンス位置であり、図８に示されるように第１位置から水平方向にずれた第２位置との間で変位する構成とすることも可能である。
【００６１】
図８においては図示を省略するが、記録ユニット２の内側には、スキャナーユニット４を幅方向に水平移動させる変位機構として、第１実施形態におけるガイドレール４１に相当するガイドレールが幅方向に延設されている。  
また、スキャナーユニット４を幅方向に変位させる場合も、スキャナーユニット４は、図８に示す第２位置において、注入口２５に装着された補充容器２７と干渉しないように構成される。
【００６２】
図８に示されるように、スキャナーユニット４を幅方向に水平移動させて第１位置から第２位置に変位させる場合、スキャナーユニット４の第２位置は、例えば、搬送ローラー対２１や排出ローラー対２２等の搬送手段を駆動するモーターに設けられる、ロータリーエンコーダースケール２８の上部を覆う位置とすることができる。この構成により、液体収容部２４へのインク補充作業時に、ロータリーエンコーダースケール２８にインクが付着する虞を低減できる。
【００６３】
また、本実施形態においても、スキャナーユニット４の後方に位置する給送口カバー３がスキャナーユニット４と一体に変位する構成とすることができる他、給送口カバー３は移動させずに、スキャナーユニット４のみを幅方向に変位させる構成とすることもできる。
【００６４】
［第２実施形態］
以下、図９及び図１０を参照して第２実施形態について説明する。尚、第２実施形態において、第１実施形態と同様の構成部には第１実施形態と同じ符号を付し、その説明を省略する。  
第２実施形態において説明する変位機構６０は、図９及び図１０に示されるアーム部６１の回動により、スキャナーユニット４を奥行方向に移動させつつ上方に変位させる構成である。
【００６５】
アーム部６１は、第１端部６１ａと第２端部６１ｂの２つの端部を有している。アーム部６１は、２つの端部の一方である第１端部６１ａが記録ユニット２に対して回動可能に設けられ、２つの端部の他方である第２端部６１ｂがスキャナーユニット４に対して回動可能に設けられている。本実施形態において、アーム部６１は、第１端部６１ａが記録ユニット２の側面の内側に回動可能に取り付けられ、第２端部６１ｂがハウジング３０の側面の外側に回動可能に取り付けられている。また、アーム部６１は、幅方向の両側に２本ずつ計４本取り付けられている。
【００６６】
図１０に示されるように、複数のアーム部６１がそれぞれ平行に回動することで、スキャナーユニット４を水平方向に移動させつつ上方に変位させ、以って、スキャナーユニット４を図１０の上図に示す第１位置から、図９及び図１０の下図に示す第２位置に、原稿台３２（図９を参照）の姿勢を維持したまま変位させることができる。  
第２実施形態においても、スキャナーユニット４が自重で第２位置から第１位置に戻る虞を低減できる。
【００６７】
本実施形態においても、スキャナーユニット４は、図９及び図１０の下図に示す第２位置において、リニアスケール１４の上部を覆うように構成されている。以って、液体収容部２４へのインク補充作業時に、リニアスケール１４にインクが付着する虞を低減できる。
【００６８】
尚、第２実施形態の構成ではスキャナーユニット４が奥行方向に水平移動しつつ上方に変位するが、アーム部６１を装置前面及び背面に取り付けることにより、アーム部６１の回動により、スキャナーユニット４を幅方向に水平移動させつつ上方に変位させる構成とすることも可能である。
【００６９】
以上、本発明の一実施形態について説明したが、本発明は上記実施形態に限定されることなく、特許請求の範囲に記載した発明の範囲内で種々の変形が可能であり、それらも本発明の範囲内に含まれるものであることは言うまでもない。
【符号の説明】
【００７０】
１…インクジェットプリンター（記録装置）、２…記録ユニット、３…給送口カバー、４…スキャナーユニット、５…原稿台カバー、６…操作パネル（操作部、表示部）、７…下部カバー、８…記録手段、９…上部供給口、１０…記録ヘッド、１１…媒体トレイ、１２…排出トレイ、１３…制御部、１４…リニアスケール、１６…給送ローラー、１７…中間ローラー、１８ａ、１８ｂ、１８ｃ、１８ｄ…従動ローラー、１９…ローラー支持部材、１９ａ…揺動軸、２０…キャリッジ、２１…搬送ローラー対、２２…排出ローラー対、２３…媒体支持部材、２４…液体収容部、２５…注入口、２６…キャップ、２７…補充容器、２８…ロータリーエンコーダースケール、３０…ハウジング、３１…読み取り手段、３２…原稿台、３３…押さえ板、３８…枠部材、４０…変位機構、４１…ガイドレール、４２…被ガイド部、５０…位置保持手段、５１…規制部、５１ａ…軸部、５２…第１の凹部、５３…第２の凹部、５４…押圧部材（抵抗手段）、５５…検出部、６０…変位機構、６１…アーム部、Ｐ…媒体
【図１】
2020172054.tif 000003
【図２】
2020172054.tif 000004
【図３】
2020172054.tif 000005
【図４】
2020172054.tif 000006
【図５】
2020172054.tif 000007
【図６】
2020172054.tif 000008
【図７】
2020172054.tif 000009
【図８】
2020172054.tif 000010
【図９】
2020172054.tif 000011
【図１０】
2020172054.tif 000012